(57)【要約】【課題】弾け飛ぶ動きをするドライアイス、及びその製造装置を提供する。【解決手段】沸点−７８．５℃未満の気体の大気圧を超える加圧気泡を含有するドライアイスにより、昇華によりドライアイス表面と前記加圧気泡の間のドライアイスが徐々に昇華し、加圧気泡を維持できなくなったときに破裂することでドライアイスが弾け飛ぶ動きをする。また、気泡用ガス供給路を備えたドライアイス製造装置により加圧気泡を含有するドライアイスを製造する。【選択図】図１
2014088303.tif 000002
【特許請求の範囲】
【請求項１】
沸点−７８．５℃未満の気体による大気圧を超える加圧気泡を含有することを特徴とする、ドライアイス。
【請求項２】
前記沸点−７８．５℃未満の気体が、窒素、エアー、酸素、水素の何れか、又はその混合物であることを特徴とする、請求項１のドライアイス。
【請求項３】
前記沸点−７８．５℃未満の気体に添加物を混合されていることを特徴とする、請求項１のドライアイス。
【請求項４】
液化二酸化炭素を供給する液化二酸化炭素供給路と、前記液化二酸化炭素供給路より供給された液化二酸化炭素を内部に噴射してスノー状ドライアイスと二酸化炭素ガスを発生させるスノーケースと、二酸化炭素ガスをスノーケースから外部へ排出するガス排出路と、スノーケース内のスノー状ドライアイスを圧縮成形するピストンとを備えるドライアイス製造装置において、スノーケース内に沸点−７８．５℃未満の気体を供給する気泡用ガス供給路を備えることを特徴とする、加圧気泡含有ドライアイス製造装置。
【請求項５】
スノーケース又はガス排出路に接続された、圧力調整弁を介設したガス圧調整排出路を備えることを特徴とする、請求項４のドライアイス製造装置。
【発明の詳細な説明】
【技術分野】
【０００１】  本発明は、加圧気泡を含有したドライアイス及びその製造装置に関する。
【背景技術】
【０００２】  従来、ドライアイスは要冷品を冷却する寒剤や、水に浸してスモークを発生させる演出用資材として知られ、近年では特表２００９−５２５１７２号公報に記載されるように薬品を添加したドライアイスブラスト用ドライアイスも試みられている。【０００３】  このようなドライアイスは、特開平１１−１１６２２５号公報及び特開平７−６１８０５号公報にあるように、スノーケース内に液化二酸化炭素を噴射してスノー状ドライアイスと二酸化炭素ガスを発生させ、二酸化炭素ガスはスノーケース外に放出し、残ったスノー状ドライアイスをピストンで圧縮し、スノーケース内でブロック状のドライアイスを製造する方法や、スノーケースの一部に設けた透孔より押し出すことで円柱状のドライアイスを製造する方法が行われている。【０００４】  しかし従来のドライアイスは空気中では表面から徐々に昇華し、昇華時にドライアイスが弾け飛ぶ動きをすることはなかった。それにより、拡散性や演出性の低いものであった。
【先行技術文献】
【特許文献】
【０００５】
【特許文献１】特表２００９−５２５１７２号公報
【特許文献２】特開平１１−１１６２２５号公報
【特許文献３】特開平７−６１８０５号公報
【発明の概要】
【発明が解決しようとする課題】
【０００６】  本発明は、従来のドライアイスには無い弾け飛ぶ動きをするドライアイス、及びその製造装置を提供することを目的としている。【０００７】  本発明の前記ならびにそのほかの目的と新規な特徴は次の説明を添付図面と照らし合わせて読むと、より完全に明らかになるであろう。ただし、図面はもっぱら解説のためのものであって、本発明の技術的範囲を限定するものではない。
【課題を解決するための手段】
【０００８】  上記目的を達成するために、本発明は、沸点−７８．５℃未満の気体の大気圧を超える加圧気泡を含有することを特徴とするドライアイスにより、弾け飛ぶ動きをするドライアイスを提供する。これは、昇華によりドライアイス表面と前記加圧気泡の間のドライアイスが徐々に昇華し、加圧気泡を維持できなくなったときに破裂することでドライアイスが弾け飛ぶ動きをするものである。また、また、気泡用ガス供給路を備えたドライアイス製造装置によって沸点−７８．５℃未満の気体をドライアイスに混合して圧縮することにより、加圧気泡を含有するドライアイスを製造する。
【発明の効果】
【０００９】    請求項１に係る発明によれば、沸点−７８．５℃未満の気体の大気圧を超える加圧気泡を含有させたことを特徴とするドライアイスにより、弾け飛ぶ動きをするドライアイスを提供する。これにより、高い拡散性及び演出性を備えることができる。【００１０】    請求項２に係る発明によれば、沸点−７８．５℃未満の気体が窒素、エアー、酸素、水素のいずれか、又はその混合物であることにより、弾け飛ぶ動きをするドライアイスを提供するとともに、高い拡散性及び演出性を備えることに加え、各気体によりその効果を特徴付けることができる。【００１１】  請求項３に係る発明によれば、沸点−７８．５℃未満の気体に添加物を混合することにより、弾け飛ぶ動きをするドライアイスを提供するとともに、高い拡散性及び演出性を備えることに加え、添加物の効果を特徴付けることができる。【００１２】  請求項４に係る発明によれば、液化二酸化炭素を供給する液化二酸化炭素供給路と、前記液化二酸化炭素供給路より供給された液化二酸化炭素を内部に噴射してスノー状ドライアイスと二酸化炭素ガスを発生させるスノーケースと、二酸化炭素ガスをスノーケースから外部へ排出するガス排出路と、スノーケース内のスノー状ドライアイスを圧縮成形するピストンとを備えるドライアイス製造装置において、スノーケース内に沸点−７８．５℃未満の気体を供給する気泡用ガス供給路を備えることで、加圧気泡含有ドライアイスを製造することができる。【００１３】  請求項５に係る発明によれば、圧力調整弁を介設したガス圧調整排出路を備えることで、加圧気泡含有ドライアイス内の加圧気泡の圧力状態を調節することができる。これにより、弾け飛ぶ強さを調節することができる。
【図面の簡単な説明】
【００１４】
【図１】本発明による加圧気泡含有ドライアイスの概略説明図。
【図２】本発明による加圧気泡含有ドライアイスの実施例１の概略説明図。
【図３】本発明による加圧気泡含有ドライアイスの実施例２の概略説明図。
【図４】従来のドライアイス製造装置の参考例の概略説明図
【図５】本発明による加圧気泡ドライアイス製造装置の実施例３の概略説明図。
【図６】本発明による加圧気泡ドライアイス製造装置の実施例４の概略説明図。
【図７】本発明による加圧気泡ドライアイス製造装置の実施例４の概略説明図の２。
【図８】本発明による加圧気泡ドライアイス製造装置の実施例５の概略説明図。
【実施例】
【００１５】  図１に示す加圧気泡含有ドライアイス１は、内部に沸点−７８．５℃未満の気体の大気圧を超える加圧気泡２を含有している。昇華によりドライアイス表面と前記加圧気泡の間のドライアイスが徐々に昇華し、加圧気泡を維持できなくなったときに破裂することでドライアイスが弾け飛ぶ。【００１６】  図２に示す加圧気泡含有ドライアイスの実施例１は保冷容器３に積載した要冷品４を冷却する場合の使用例で、通常のドライアイスを設置した場合には、ドライアイスは設置部に留まり保冷容器内に拡散せず、ドライアイスから遠い要冷品は冷却され難く、冷却ムラが発生する。しかし、加圧気泡含有ドライアイス１を設置した場合には、前記加圧気泡含有ドライアイスは弾け飛んで保冷容器３内に広く拡散し、要冷品４はムラ無く冷却される。【００１７】  前記実施例１において、加圧気泡含有ドライアイス１の気泡がエアーであれば安価に製造することができる。また、気泡が窒素であれば要冷品４が酸素による劣化を起こす要冷品である場合、加圧気泡含有ドライアイス１から発生した二酸化炭素とともに容器内の酸素を追い出し、要冷品の劣化を防止することができる。前記、酸素による劣化を起こす要冷品は、食品、化学物質、金属粉末などが挙げられ、劣化の原因は酸化や、酸素による雑菌の繁殖が挙げられる。さらに、気泡内に防腐剤や殺虫剤、香料等の添加物を混合している場合は、加圧気泡含有ドライアイス１とともに前記添加物が拡散し、ムラ無くその効果を得ることができる。【００１８】  図３に示す加圧気泡含有ドライアイスの実施例２は演出での使用例で、加圧気泡含有ドライアイス１が弾け飛ぶ様子によりイベントで人目を引くことや、映画やテレビ等の撮影の演出で利用することができる。この場合は観覧者や撮影者５と加圧気泡含有ドライアイス１との間に透明な樹脂板６を置くなどして安全を確保することが望ましい。【００１９】  前記実施例２において、圧気泡含有ドライアイス１の気泡がエアーや窒素でも弾け飛ぶ様子を観察することができる。また、気泡が水素の場合は着火源を設けることにより燃焼して、より演出性を高めることができる。さらにこれに気泡が酸素の圧気泡含有ドライアイスを混合することで燃焼を激しくし、演出効果を向上させることができる。【００２０】  図４に従来のドライアイス製造装置の参考例を示す。ドライアイス製造装置１０は、液化二酸化炭素供給バルブ３１を開とすることで液化二酸化炭素供給路３０よりスノーケース２０内に液化二酸化炭素を供給する。そのとき、液化二酸化炭素は断熱膨張により冷却され、一部はスノー状ドライアイスとなって前記スノーケースの内部に残留し、残りはガスとなってガス排出路５０より排出される。その後、液化二酸化炭素供給バルブ３１を閉とし、油圧装置２２にてピストン２３を前記スノーケース内に押し込み、前記スノー状ドライアイスを圧縮する。圧縮されたスノー状ドライアイスは、前記スノーケースの一部に設けられた透孔２１より押し出され、ペレット状のドライアイスとなる。また、図示はしないが、前記スノーケースに透孔を設けずに開閉部分を設けた場合は、ブロック状のドライアイスとして製造することもできる。圧縮の際にスノードライアイス内に残留した二酸化炭素ガスは低温で加圧されるため、気体から固体に変化してドライアイスの一部となり気泡として残らない。前記ピストンは押し込み停止後に後退させ、液化二酸化炭素供給から繰り返すことで製造を継続することができる。【００２１】  図５に示す実施例３は、本発明を実施するための加圧気泡含有ドライアイス製造装置Ａであり、前記従来のドライアイス製造装置の参考例と異なる点は、スノーケース２０内に沸点−７８．５℃未満の気体を供給するための気泡用ガス供給路４０を備えた点で、気泡用ガス供給バルブ３１を開にして、液化二酸化炭素の供給開始時からスノードライアイスの圧縮開始時までの一部あるいは全部の工程で気泡用ガスを前記スノーケース内に供給することでスノードライアイス内に気泡を生成する。その後スノー状ドライアイスが圧縮される際に気泡も圧縮されて加圧気泡となり、透孔２１よりペレット状の加圧気泡含有ドライアイスが押し出される。【００２２】  前記実施例３において、気泡用ガスは貯層や容器から供給されるが、エアーの場合は空気中から供給することもでき、窒素の場合は空気中から窒素製造装置を介して供給することもできる。また、供給するための圧力付加にはポンプやコンプレッサーを用いてもよいが、気泡用ガスが貯蔵された貯層や容器の自圧で足りる場合にはこれを利用してもよい。【００２３】  図６に示す実施例４は、本発明を実施するための加圧気泡含有ドライアイス製造装置Ｂであり、前記実施例３と異なる点は圧力調整弁６１を介設した圧力調整ガス排出路６０を備えることで、気泡用ガス供給時にスノーケース内の圧力を調整して加圧気泡の圧力状態を調節することができる。この場合、スノーケース内の圧力が高くなるように前記圧力調整弁を設定すると、製造された加圧気泡含有ドライアイス内の加圧気泡の圧力も高くなり、より強く加圧気泡含有ドライアイスが弾け飛ぶようになる。【００２４】  前記実施例４において、ガス排出路５０から分岐して圧力調整ガス排出路６０を接続する場合は、ガス排出路５０に開閉弁５１を設置して気泡用ガス供給時に前記開閉弁を閉止することでスノーケース内の圧力を保つことができる。また、スノーケース２０に直接圧力調整ガス排出路６０を接続する場合は同様にガス排出路５０に閉止弁５１を設置することもできるが、図７に示すように圧力調整ガス排出路６０及び気泡用ガス供給路４０をガス排出路５０よりピストン２３の進行方向前方の前記スノーケースに接続することにより、ピストン２３を前記ガス排出路と前記圧力調整ガス排出路及び前記気泡用ガス供給路の間に移動させることにより、前記ガス排出路を閉止することもできる。【００２５】  図８に示す実施例５は、本発明を実施するための加圧気泡含有ドライアイス製造装置Ｃであり、前記実施例３及び４と異なる点は、スノーケース２０に透孔を設けずに開閉板２４を設けることで前記スノーケースの開閉を可能とした点で、スノードライアイスをピストン２１にて圧縮後に開閉板を下降させて取り出すことでブロック状の加圧気泡含有ドライアイスを製造することができる。
【符号の説明】
【００２６】    １  加圧気泡含有ドライアイス
２  加圧気泡
３  保冷容器
４  要冷品
５  観覧者
６  透明な樹脂板
１０  ドライアイス製造装置
１１  加圧気泡ドライアイス製造装置Ａ
１２  加圧気泡ドライアイス製造装置Ｂ
１３  加圧気泡ドライアイス製造装置Ｃ
２０  スノーケース
２１  透孔
２２  油圧装置
２３  ピストン
２４  開閉板
３０  液化二酸化炭素供給路
３１  液化二酸化炭素供給バルブ
４０  気泡用ガス供給路
４１  気泡用ガス供給バルブ
５０  ガス排出路
５１  開閉弁
６０  圧力調整ガス排出路
６１  圧力調整弁
【図１】
2014088303.tif 000003
【図２】
2014088303.tif 000004
【図３】
2014088303.tif 000005
【図４】
2014088303.tif 000006
【図５】
2014088303.tif 000007
【図６】
2014088303.tif 000008
【図７】
2014088303.tif 000009
【図８】
2014088303.tif 000010